(57)【要約】【課題】  地図情報や画像処理システム等を必要とせず、簡易な手段によって構成され、移動経路の変更等にも柔軟に対応することが可能な移動ロボットを提供することを課題とする。【解決手段】  移動ロボット１は、ロボット本体と、駆動機構部３と、自律制御にかかるデータをＩＣタグ４から取得するＩＣタグリーダ５と、壁等の対象物や障害物に関する情報を取得するレーザレンジファインダ７と、制御機構部９と、音声出力用のスピーカ１０とによって主に構成されている。そして、ＩＣタグ４の読取りに基づいて取得した動作情報２５と、対象物情報３０とを組合わせて動作を制御することにより、適宜位置の修正を行い、自律移動することが可能となる。また、複数のＩＣタグ４によってＩＣタグ群を形成し、移動経路を設定することにより、移動ロボット１によるＩＣタグ４の読取りがより安定的なものとなり、確実に自律移動を継続することが可能となる。【選択図】図３
2006178578.tif 000002
【特許請求の範囲】
【請求項１】
装置本体と、
設定された移動経路に沿って前記装置本体を移動させる移動手段と、
前記装置本体に取設され、前記移動経路に予め複数設置され、それぞれ固有の識別番号が付与されたＩＣタグを検出し、前記ＩＣタグとの無線通信によって前記識別番号に係る識別情報を取得する識別情報取得手段と、
前記装置本体に内蔵若しくは取設され、前記ＩＣタグのそれぞれの前記識別情報に関連付けた前記装置本体及び前記移動手段の動作を制御する動作情報をデータベース化して記憶する記憶手段と、
前記装置本体に内蔵され、取得した前記識別情報に対応する前記動作情報を前記記憶手段から抽出する動作情報抽出手段と、
前記装置本体に取設され、前記移動経路に沿って移動する前記装置本体の周囲の状況を検出し、壁及び障害物を含む外部対象物に係る対象物情報を取得する対象物情報取得手段と、
前記本体に内蔵され、抽出した前記動作情報及び取得した前記対象物情報を組合わせ、前記装置本体及び前記移動手段の動作を自律的に制御する動作制御手段と
を具備することを特徴とする自律移動装置。
【請求項２】
前記記憶手段は、
前記移動経路にそれぞれ設置された前記ＩＣタグの設置個所に対応する音声データをさらに記憶し、
前記装置本体に取設され、前記音声データに基づいて音声の出力が可能な音声出力手段をさらに具備し、
前記動作制御手段は、
前記設置箇所に到達すると、前記音声データを利用し、前記音声出力手段による音声の出力を制御する音声出力制御手段をさらに有することを特徴とする請求項１に記載の自律移動装置。
【請求項３】
複数の前記ＩＣタグによって構成されたＩＣタグ群が前記移動経路に配され、
前記記憶手段は、
前記ＩＣタグのそれぞれの前記識別情報に関連付けた前記ＩＣタグ群に係るＩＣタグ群情報、及び前記ＩＣタグ群情報に関連付けた前記動作情報を、それぞれデータベース化して記憶し、
前記動作情報抽出手段は、取得した前記識別情報を対応する前記ＩＣタグ群情報に変換し、変換された前記ＩＣタグ群情報に対応する前記動作情報を前記記憶手段から抽出することを特徴とする請求項１または請求項２に記載の自律移動装置。
【請求項４】
前記対象物情報取得手段は、レーザレンジファインダを使用することを特徴とする請求項１乃至請求項３のいずれか一つに記載の自律移動装置。
【請求項５】
装置本体と、
設定された移動経路に沿って前記装置本体を移動させる移動手段と、
前記装置本体に取設され、前記移動経路に予め複数設置され、前記装置本体及び前記移動手段の動作を制御する動作情報が記憶されたＩＣタグを検出し、前記ＩＣタグとの無線通信によって前記動作情報を取得する動作情報取得手段と、
前記装置本体に取設され、前記移動経路に沿って移動する前記装置本体の周囲の状況を検出し、壁及び障害物を含む外部対象物に係る対象物情報を取得する対象物情報取得手段と、
前記装置本体に内蔵され、取得した前記動作情報及び前記対象物情報を組合わせ、前記装置本体及び前記移動装置の動作を自律的に制御する制御手段と
を具備することを特徴とする自律移動装置。
【発明の詳細な説明】
【技術分野】
【０００１】
本発明は、自律移動装置に関するものであり、特に、移動経路に設置されたＩＣタグを利用して動作を制御する自律移動装置に関するものである。
【背景技術】
【０００２】
従来から、人間の制御によらず自律的に移動できる自律移動装置は、人間の行う作業の補助や代行、あるいは人間の進入できない場所での作業を行うことが期待され、さまざまな分野において研究開発が進められている。例えば、工場生産ラインへの部品等の無人搬送、車椅子やカート等の自動走行、原子力プラント等の危険を伴う領域でのロボットによる点検作業等が挙げられる。
【０００３】
これらの自律移動装置の移動を出発地点から目標地点までナビゲーションする方式としては、テープ（ライン）を視覚的に認識してトレースする方式や電磁誘導方式が例示される。これらの方式においては、移動経路を変更する場合にはテープや誘導線を敷設しなおす必要があり改変が大掛かりとなる。
【０００４】
そこで、設置や撤去の容易なランドマークやＩＣタグを移動経路上に配置し、ランドマークやＩＣタグによって移動動作が制御される自律移動装置及びシステム、自律移動方法が提案されている。ここで、ランドマークとは、経路上に設置された三角形、円形等の種々の形状の誘導標識である。また、ＩＣタグとは、タグ状、ラベル状等に加工され小型アンテナを搭載した極小のＩＣチップであり、読取装置との間で電子情報を無線通信するものである。このＩＣタグを製品に添付し或いは人間が携帯することにより製品情報（製造年月日、流通過程、検査情報等）の管理や入退室管理、定期券改札などに利用されている。
【０００５】
ランドマークを利用する自律移動方法においては、予め記憶されたランドマークの形状や色彩の組合わせを動作情報と対応させ、移動装置が装備するステレオカメラによってランドマークを視覚的に認識することにより、移動動作を制御する方法が開示されている（特許文献１参照）。
【０００６】
また、ＩＣタグを利用する自律移動方法においては、ＩＣタグに次のタグとの相対的な位置座標を記憶させ、絶対方位を検出することにより、次のＩＣタグへ向かって移動する方法が開示されている（特許文献２参照）。ここで、絶対方位を検出する方法としては、予め記憶させた風景画像と現場での撮影画像とのパタンマッチングによる画像処理法が例示されている。
【０００７】
また、ＩＣタグに、設置地点の絶対座標や次のタグの方向及び距離等に関する情報を記憶させ、地図情報における自己位置を検出しながら移動する移動システムも開示されている（特許文献３参照）。ここで、地図情報における自己位置の検出に際しては、移動手段として用いている車輪の移動量により移動距離を検出している。かかる検出値には車輪の滑り等に起因する誤差が生じ、この誤差の累積が自己位置の正確な検出に影響するため、目的のＩＣタグの設置地点の左右に補正目的のＩＣタグを設置することにより、次のタグへの進行方向を補正している。
【０００８】
【特許文献１】特開２００３−３３０５３８号公報
【特許文献２】特開２００４−１０８７８２号公報
【特許文献３】特開２００２−３４１９３９号公報
【発明の開示】
【発明が解決しようとする課題】
【０００９】
しかしながら、上述したランドマークを視覚的に認識する方法では、移動装置がカメラ等の受像装置や画像処理システムを備えることが必須条件であるため、移動装置自体が大型化し、高価格とならざるを得なかった。また、ランドマークの形状や色彩の認識は環境光の変化による影響を受けやすく、動作情報を確実に取得することが困難な場合もあった。
【００１０】
また、ＩＣタグに次のＩＣタグの相対的な位置座標を記憶させる方法では、ＩＣタグ間の相対的な位置関係が必須であるため、移動経路や環境に変化が生じた場合に、タグ間の相対的な位置関係が変化し、ＩＣタグに記憶させるデータの改変が複雑となる問題があった。また、画像処理法による絶対方位の検出においては、受像装置及び画像処理システムを移動装置が備えることが必要であることに加え、パタンマッチングには複雑な画像処理を要するため、移動に際してリアルタイムに方位を修正することは困難であった。
【００１１】
さらに、ＩＣタグに設置地点の絶対座標等を記憶させ、地図情報における自己位置を検出しながら移動する移動システムにおいては、環境全体の詳細な地図情報が予め移動装置内部に組み込まれていることが必要であり、環境の変化に対しても、その都度地図情報を改変して記憶媒体に格納しなおすことが必要となるため、労力的、経済的に負担が大きいという問題点があった。また、地図情報における自己位置の検出において、移動距離や方向の検出値の累積誤差に起因する位置のずれを補正するために、補正目的のＩＣタグを設置するシステムでは、結果的にＩＣタグの種類も設置数も多く必要となり、ＩＣタグを設置して形成する移動経路が複雑な系となる問題もあった。
【００１２】
そこで、本発明は上記実情に鑑み、地図情報や画像処理システム等を必要とせず簡易な手段によって構成され、移動経路の変更や環境の変化にも柔軟に対応し、安定して自律移動を継続することが可能な、自律移動装置を提供することを課題とするものである。
【課題を解決するための手段】
【００１３】
上記の課題を解決するため、本発明にかかる自律移動装置は、「装置本体と、設定された移動経路に沿って前記装置本体を移動させる移動手段と、前記装置本体に取設され、前記移動経路に予め複数設置され、それぞれ固有の識別番号が付与されたＩＣタグを検出し、前記ＩＣタグとの無線通信によって前記識別番号に係る識別情報を取得する識別情報取得手段と、前記装置本体に内蔵若しくは取設され、前記ＩＣタグのそれぞれの前記識別情報に関連付けた前記装置本体及び前記移動手段の動作を制御する動作情報をデータベース化して記憶する記憶手段と、前記装置本体に内蔵され、取得した前記識別情報に対応する前記動作情報を前記記憶手段から抽出する動作情報抽出手段と、前記装置本体に取設され、前記移動経路に沿って移動する前記装置本体の周囲の状況を検出し、壁及び障害物を含む外部対象物に係る対象物情報を取得する対象物情報取得手段と、前記本体に内蔵され、抽出した前記動作情報及び取得した前記対象物情報を組合わせ、前記装置本体及び前記移動手段の動作を自律的に制御する動作制御手段と」を主に具備して構成されている。
【００１４】
ここで、移動手段は、車輪駆動、クローラ式駆動、２足、４足等の脚歩行等によって例示される。特に、車輪（タイヤ）をモータ等を用いて回転駆動させて前後移動し、旋回するものが簡易に利用可能である。
【００１５】
また、ＩＣタグは、それぞれ固有の識別番号（ＩＤ）が付与されているタイプのものが使用され、識別情報取得手段は、このＩＣタグに記憶された識別番号に対応する電子情報を電波を介して非接触状態で受信するものであり、読取専用のＩＣタグリーダ、あるいは種々の情報の書換え、更新が可能なＩＣタグリーダ・ライタを使用することが可能である。
【００１６】
また、記憶手段は、自律移動装置の動作を制御する動作情報のデータベースを記憶するためのものであり、コンピュータの内蔵メモリ、あるいはハードディスク、フレキシブルディスク、ＣＤ−Ｒ等の外部記憶装置が例示される。
【００１７】
さらに、対象物情報取得手段は、移動装置の周囲に向けてレーザ光や超音波等を照射し、その反射波の検出により移動経路沿いの対象物や移動経路上の障害物を検出するレーザ距離センサや超音波距離センサを例示することができる。これらは、所定の時間間隔で周囲にレーザ光等を照射し、反射波により物体の有無を検出し、照射方向を変化させて反射波の角度や到達時間を検出することにより、壁等の対象物に関する情報を取得することが可能となる。
【００１８】
したがって、本発明の自律移動装置によれば、抽出した動作情報及び取得した対象物情報に基づいて、移動を含む各動作を自律的に制御することが可能となる。具体的に示すと、移動経路上に予め設置されたＩＣタグを検出し、該ＩＣタグから固有の識別番号に係る識別情報を取得する。そして、該識別情報から記憶手段に記憶された動作情報を抽出する。また、自律移動装置は動作情報の抽出にかかる処理と同時に、周囲の壁等の対象物あるいは移動経路上に存在する障害物等を検出及び認識する。これにより、得られた双方の情報を適宜組合わせ、対象物との距離及び角度を修正しながら、動作情報に基づく動作を自律的に行わせられる。
【００１９】
また、本発明にかかる自律移動装置は、上記構成に加え、「前記記憶手段は、前記移動経路にそれぞれ設置された前記ＩＣタグの設置個所に対応する音声データをさらに記憶し、前記装置本体に取設され、前記音声データに基づいて音声の出力が可能な音声出力手段をさらに具備し、前記動作制御手段は、前記設置箇所に到達すると、前記音声データを利用し、前記音声出力手段による音声の出力を制御する音声出力制御手段をさらに有する」ものであっても構わない。
【００２０】
ここで、音声データは、自律移動装置に合成音声をもって発声させるテキストデータ、合成音をもって演奏させる音楽データ、単に再生させる音データ等が含まれる。音声出力手段は、既成の音声出力用スピーカ、アンプ、音声合成用モジュール等が利用可能である。
【００２１】
したがって、本発明の自律移動装置によれば、自律的な動作の一部として、周囲に対して音声を出力することが可能となる。これにより、移動等の動作に加え、音声の出力を自律的に制御することができる。したがって、店舗の案内や広告活動等に自律移動装置を活用することができるようになる。
【００２２】
また、本発明にかかる自律移動装置は、上記構成に加え、「複数の前記ＩＣタグによって構成されたＩＣタグ群が前記移動経路に配され、前記記憶手段は、前記ＩＣタグのそれぞれの前記識別情報に関連付けた前記ＩＣタグ群に係るＩＣタグ群情報、及び前記ＩＣタグ群情報に関連付けた前記動作情報を、それぞれデータベース化して記憶し、前記動作情報抽出手段は、取得した前記識別情報を対応する前記ＩＣタグ群情報に変換し、変換された前記ＩＣタグ群情報に対応する前記動作情報を前記記憶手段から抽出する」ものであっても構わない。
【００２３】
ここで、ＩＣタグは、各設置箇所において複数が近接して設置され、一のＩＣタグ群を形成し、このようなＩＣタグ群を複数設置した自律移動装置の移動経路が設定される。
【００２４】
また、記憶手段は、識別情報にＩＣタグ群を関連付けたＩＣタグ群情報データベース、及びＩＣタグ群情報に動作情報を関連付けた動作情報データベースを記憶している。ここで、同一のＩＣタグ群に属するＩＣタグから同一の動作情報を取得するために、同一のタグ群に属するＩＣタグに同一のタグ群情報を割り振り、それぞれのＩＣタグに固有の識別情報にＩＣタグ群情報を関連付けたＩＣタグ群情報データベースと、ＩＣタグ群情報に動作情報を関連付けた動作情報データベースとを予め記憶手段に記憶させる。
【００２５】
したがって、本発明の自律移動装置によれば、ＩＣタグの設置箇所で、ある特定のＩＣタグを確実に通過しなくても、同一のＩＣタグ群に属する少なくとも一のＩＣタグを検出してその識別情報を取得すれば、目的とする動作情報を取得することが可能となる。そのため、何らかの原因により自律移動装置の移動が予定された移動経路と多少ずれても、安定して次のＩＣタグを読取り、継続的に自律移動を行えるようになる。これにより、異なる識別番号を有する複数のＩＣタグであっても、同一のタグ群に属していれば、いずれのＩＣタグを読取った場合でも、ＩＣタグ群情報を介して同一の動作情報を取得し、それに基づいて自律移動装置に対して同一の自律行動が制御される。
【００２６】
また、本発明にかかる自律移動装置は、上記構成に加え、「前記対象物情報取得手段は、レーザレンジファインダを使用する」ものであっても構わない。
【００２７】
ここで、レーザレンジファインダは、レーザ光を周囲に走査することにより、進行方向の対象物との距離及び角度を、短時間で容易に検出することが可能なものである。そのため、一軸方向にのみレーザ光を照射するレーザ距離計等の距離センサとは異なり、壁等の対象物との距離、角度等に関する情報を取得するために、自律移動装置自体が回転等することにより照射方向を変化させる、若しくは、自律移動装置の本体にそれぞれ異なる方向に向けて複数の距離センサを取設させる必要がない。
【００２８】
したがって、本発明の自律移動装置によれば、レーザレンジファインダを使用してレーザ光を自律移動装置の周囲に走査し、移動経路沿いの対象物及び障害物を検出するため、対象物情報が容易に短時間で取得される。これにより、自律移動装置は、移動経路に設置されたＩＣタグから読取った識別情報に基づいて取得した動作情報と、レーザレンジファインダが取得した対象物情報とを対比する処理を速やかに行い、目的の自律移動を容易に行う。
【００２９】
さらに、本発明にかかる自律移動装置は、「装置本体と、設定された移動経路に沿って前記装置本体を移動させる移動手段と、前記装置本体に取設され、前記移動経路に予め複数設置され、前記装置本体及び前記移動手段の動作を制御する動作情報が記憶されたＩＣタグを検出し、前記ＩＣタグとの無線通信によって前記動作情報を取得する動作情報取得手段と、前記装置本体に取設され、前記移動経路に沿って移動する前記装置本体の周囲の状況を検出し、壁及び障害物を含む外部対象物に係る対象物情報を取得する対象物情報取得手段と、前記装置本体に内蔵され、取得した前記動作情報及び前記対象物情報を組合わせ、前記装置本体及び前記移動装置の動作を自律的に制御する制御手段と」を主に具備して構成されている。
【００３０】
ここで、ＩＣタグは、自律移動装置の動作を制御するための動作情報をその内部に記憶するタイプのものが使用される。これにより、ＩＣタグを読取ることにより、ＩＣタグが記憶している動作情報を直接取得するため、自律移動装置は、動作情報に関するデータベースを所有する必要がない。ここで、動作情報取得手段には、前述のＩＣタグリーダ等を利用可能である。
【００３１】
したがって、本発明の自律移動装置によれば、自律移動装置の動作を制御する動作情報は、移動経路上の既知の対象物を基準とする動作を含めて構成され、予めＩＣタグ側に記憶されることにより、自律移動装置は、ＩＣタグを読取って取得した動作情報と、対象物情報取得手段によって取得された、移動経路沿いの対象物との実際の距離等に関する情報とを対比させ、対象物との距離及び角度を適宜修正しながら、自律的に移動等の動作を行う。
【発明の効果】
【００３２】
本発明の効果として、ＩＣタグの読取りによって取得した動作情報と、外部対象物を検出して取得した対象物情報とを組合わせて動作を制御することにより、地図情報や画像処理システム等を必要とせず、自律移動をすることが可能となる。また、複数のＩＣタグによってＩＣタグ群を形成し、移動経路を設定することにより、自律移動装置によるＩＣタグの読取りがより安定的なものとなり、確実に自律移動を継続することが可能となる。さらに、音声出力手段を備えることにより、例えば、複数店舗が集結したショッピング街等で、店舗の案内や商品等の案内を状況に応じて行うことができる。
【発明を実施するための最良の形態】
【００３３】
以下、本発明の第一実施形態の自律移動案内ロボット１（以下、単に「移動ロボット１」と称する）について、図１乃至図８に基づいて説明する。ここで、図１は第一実施形態の移動ロボット１の概略構成を示す説明図であり、図２は移動ロボット１の内部構成を模式的に示す説明図であり、図３は移動ロボット１の機能的構成を示す説明図であり、図４乃至図６は移動ロボット１の自律移動の一例を模式的に示す説明図であり、図７及び図８は移動ロボット１における処理の流れを示すフローチャートである。ここで、第一実施形態の移動ロボット１は、複数の店舗が集結するショッピング街の通路を壁に沿って移動し、店舗の入り口付近に到達すると、当該店舗及び商品の案内を音声によって買い物客に対して報知するものについて例示する。
【００３４】
第一実施形態の移動ロボット１は、図１及び図２に主に示されるように、移動ロボット１の主たる外観形状を成すロボット本体２と、ロボット本体２を移動経路に沿って移動させるための駆動機構部３と、移動ロボット１の自律制御にかかるデータをＩＣタグ４から取得するＩＣタグリーダ５と、レーザ光６を照射し、移動ロボット１の周囲を走査することにより、その反射波の有無及び角度、反射時間等によって、壁等の対象物及び障害物を検出するレーザレンジファインダ７と、超音波を照射し、その反射によって障害物等を検出する超音波センサ８と、ロボット本体２の内部に格納され、駆動機構部３及びＩＣタグリーダ５等の各種構成機器を制御し、移動ロボット１の自律行動を制御するための制御機構部９と、店舗及び商品等の案内を音声を介して行うための音声出力用のスピーカ１０とを具備して主に構成されている。ここで、ロボット本体２が本発明における装置本体に相当し、ＩＣタグリーダ５が本発明における識別情報取得手段に相当し、スピーカ１０が本発明におけるは音声出力手段に相当し、レーザレンジファインダ７及び超音波センサ８が本発明における対象物情報取得手段に相当する。
【００３５】
さらに詳細に説明すると、ロボット本体２は、胴体部ユニット１１及び該胴体部ユニット１１の上部に配設され、胴体部ユニット１１に対して回動し、恰も移動ロボット１が首を振るような愛らしい動作を再現可能に形成された頭部ユニット１２の二つの部材によって構成されている。なお、ロボット本体２の外殻表面は、本体カバー１３によって被覆されている。また、図１に示すように、ロボット本体２は、外観が略半卵形状を呈して形成されている。さらに、駆動機構部３は、胴体部ユニット１１の底部近傍に取設され、胴体部ユニット１１に対して左右対称に配された一対の前輪３ａと、該前輪よりも縮径し、胴体部ユニット１１の後端近傍（図２における紙面右方向に相当）に取付けられた後輪３ｂと、前輪３ａの中央に接続された車輪軸（図示しない）を介して前輪３ａを回転させ、移動ロボット１を移動経路に沿って移動させるための駆動力を与える駆動用のモータ３ｃと、前輪３ａ若しくは後輪３ｂの移動に伴う回転数を測定し、移動距離を算出可能な距離センサ３ｄによって構成されている。なお、移動ロボット１の移動方向を変化させるためには、一対の前輪３ａの各々の回転数を変化させることにより、回転数の違いによって所定方向に変化させるものや、或いは前輪３ａ若しくは後輪３ｂを車軸に対して偏向させる操舵機構を設け、所定方向に変化させるものであってもよい。
【００３６】
さらに、第一実施形態の移動ロボット１は、上記構成に加え、胴体部ユニット１１に対し、頭部ユニット１２を回転させるための頭部回転機構部１４を具備している。具体的には、頭部ユニット１２を所定範囲で回転（図１における矢印Ａ参照）させるための頭部回転用のモータ１４ａと、モータ１４ａの回転を頭部ユニット１２に対して伝達するための回転伝達機構１４ｂと、頭部ユニット１２の回転速度及び回転角度等を制御する頭部動作制御手段１５とによって構成されている。なお、駆動機構部３のモータの駆動、ＩＣタグリーダ５、レーザレンジファインダ７及び超音波センサ８の稼動、頭部回転用のモータ１４ａの駆動等に要する電力を供給するための充電式のバッテリー１６が、胴体部ユニット１１の内部に格納されている。なお、該バッテリー１６は、充電の際に商用電源と接続するための接続端子（図示しない）と連結されている。また、ロボット本体２の内部には、前述した制御機構部９、スピーカ１０等の構成を配するために、複数の支柱及び架台等が配されている。
【００３７】
ここで、ＩＣタグリーダ５は、ＩＣタグ４からの電波を受信する薄板状のアンテナ及び電子回路部（いずれも図示しない）によって主に構成され、ロボット本体２の胴体部ユニット１１の底面後方付近に、アンテナ面５ａがＩＣタグ４の設置される設置床面に対向するように取設されている。
【００３８】
また、レーザレンジファインダ７は、レーザ光源、多角形のレーザ光反射体、レーザ光を照射する投光レンズ、対象物によって反射されたレーザ光を受光する受光レンズ、投光レンズ及び受光レンズを配設した円筒状フレームと、電子回路部とを主に具備して構成され、投光レンズ及び受光レンズがロボット本体２の底面から下方に露出するように、ロボット本体２の胴体部ユニット１１の底面前部に取設されている。レーザ光反射体を回転させることにより、水平方向に１８０度の範囲でレーザ光を走査する。所定の対象物を検出する際には、目的外の対象物を検出しないように走査範囲を設定することが可能である。このように、レーザ光を走査して照射を行うことにより、一方向にのみ照射を行うレーザ距離センサを使用する場合に比べ、対象物に関する情報を極めて短時間に容易に検出することが可能である。
【００３９】
さらに、超音波センサ８は、超音波センサ部及び電子回路部（いずれも図示しない）によって主に構成され、ロボット本体２の胴体部ユニット１１の底面後部から後進方向に超音波センサ部の先端の一部が突出するように取設されている。なお、超音波センサ８は、衝突防止用センサとして既に周知の技術であり、ここでは詳細な説明は省略する。
【００４０】
次に、第一実施形態の移動ロボット１における機能的構成について、図３に基づいて説明する。ここで、移動ロボット１の機能的構成の主たる部位は、自律制御を可能とするためにロボット本体２の内部に格納された制御機構部９によって構築されている。そして、移動ロボット１は、その機能的構成として、ＩＣタグ４から取得した識別情報２１に対応して記憶されたＩＣタグ群情報２２（詳細は後述する）がデータベース化して記憶されたＩＣタグ群情報データベース２３、ＩＣタグ群情報２２及び対応する動作情報２５によって構築された動作情報データベース２６、及び動作情報２５に対応し、ショッピング街のそれぞれの店舗毎の商品案内等を音声出力するための音声データ２７を予め記憶された記憶手段２８と、ＩＣタグ４から取得した識別情報２１に対応する動作情報２５を当該記憶手段２８から抽出する動作情報抽出手段２９と、レーザレンジファインダ７及び超音波センサ８によって取得される対象物情報３０によって、壁３２等の外部対象物または障害物を識別する対象物情報認識手段３５と、抽出した動作情報２５及び取得した対象物情報３０に基づいて、自律動作を制御する動作制御手段３６と、対象物情報認識手段３５によって移動経路上にある障害物が認識されると、障害物を回避するように回避行動を行わせる回避行動制御手段３７とを具備して主に構成されている。なお、動作制御手段３６は、駆動機構部３を制御して前進、後進、回転、停止等の移動を制御するための自律行動制御手段４０と、記憶手段２８に記憶された音声データ２７に基づいてスピーカ１０を介して音声出力を制御する音声出力制御手段４２と、前述の頭部動作制御手段１５をさらに有して構成されている。
【００４１】
移動ロボット１が移動する移動経路に設置されるＩＣタグ４は、それぞれに固有の識別番号が付与され、識別情報２１として記憶している。そして、前述したＩＣタグリーダ５からの送信要求に応じて識別情報２１を送信する、いわゆる「パッシブ型」のものが第一実施形態において利用される。すなわち、前述のように、ＩＣタグ４は、識別番号に対応する単純な識別情報２１のみを記憶するだけであり、移動ロボット１の自律制御のための動作情報２５は、制御機構部９の記憶手段２８に記憶されている。そのため、移動ロボット１の自律制御の設定を変更する際であっても、移動経路に設置された多数のＩＣタグ４に記憶する情報を書き換えたり、或いはＩＣタグ４自体の交換をする必要がなく、記憶手段２８に構築されたデータベースの変更のみで可能となる。そのため、環境の変化や移動経路の変更に対して、速やかに、かつ柔軟に対応することが可能となる。
【００４２】
また、移動ロボット１が移動する移動経路は、買い物客等の歩行者も通行するため、歩行の妨げにならない程度の厚さのＩＣタグ４が、第一実施形態において使用されている。さらに、衝撃等によってＩＣタグ４が破損することを防ぐため、主要構成であるＩＣ基板部（図示しない）を衝撃吸収性を有するクッション材で被覆したものが用いられている。さらに、移動ロボット１のショッピング街での案内活動の実施は、恒常的に行われるものではなく、例えば、一日単位或いは一週間単位で変更することもあり、ＩＣタグ４の設置及び回収を容易にすることが望ましい。したがって、第一実施形態の移動ロボット１では、既存施設の床面に多数のＩＣタグ４を再剥離テープを利用して仮設し、案内作業の終了後には容易に撤去し、原状復帰を容易にしている。
【００４３】
ここで、動作情報２５は、次のＩＣタグを検出するまでに実行すべき動作を、実行順に列挙して構成される。例えば、移動に関する動作情報２５は、「停止」、所定距離を直進または後進させる場合の、「直進、距離」、「後退、距離」、所定角度に回転させる場合の、「左回転、角度」、「右回転、角度」等のコマンドから構成される。さらに、移動経路沿いの物体を基準とし、物体から所定の距離に位置させる場合の、「左側倣い、距離」、「右側倣い、距離」や、壁面に対して所定角度の方向に進行させる場合の、「左壁面倣い、角度」「右壁面倣い、角度」、壁に突き当たる場所で方向転換させる場合の「正壁面倣い、角度」等のコマンドを含んで構成される。また、音声出力に関する動作情報２５は、「文章発話、番号」、「歌唱、番号」、「ＷＡＶ再生、番号」のように、音声出力の種別を音声出力データ２７と対応させたコマンドと、「リピート、回数」、「ウエイト、時間」「停止」等のコマンドを組合わせて構成される。さらに、頭部動作に関する動作情報２５は、「左回転、角度」、「右回転、角度」、「正面復帰」、「スピード設定、速度」、「ランダム（全体）」、「ランダム（その場中心）」等のコマンドを組合わせて構成される。
【００４４】
具体的には、左側の壁から１メートルの距離を壁に沿って３０メートル直進させる場合の動作情報２５は、『「左側倣い、１メートル」、「左壁面倣い、９０度」、「直進、３０メートル」』のように構成される。また、動作情報２５において基準となる物体は、通常は固定されている静的物体、例えば、壁、防火扉、看板等が選択される。このような動作情報２５に対し、移動ロボット１は自ら取得した対象物情報３０を参照し、実際の壁との距離や角度をもとに、位置や進行方向を設定する。したがって、移動経路に存在する物体を動作の基準とすることで、移動ロボット１が絶対的な座標や絶対方位を検知することを必要とすることなく、自律移動することが可能となる。
【００４５】
ここで、移動経路の設定にあたっては、まず、移動ロボット１の動作の基準とする対象物を適宜選択し、予め移動経路との距離や進行方向との角度を測定する。そして、測定した数値を用いて、ＩＣタグ４の設置箇所に応じて、動作情報２５を作成する。ここで、ＩＣタグを設置する場所としては、動作の基準とする静的物体のある地点、長い壁の始点と終点、通路が曲折する地点、回避すべき既知の障害物のある地点、案内すべき店舗の入口等が例示される。
【００４６】
さらに、移動ロボット１が移動する移動経路の設定においては、例えば５枚のＩＣタグ４をそれぞれ３０センチメートル間隔で設置し、このようにして形成したＩＣタグ群を、複数箇所に設置して移動経路を設定する。ここで、一のタグ群ごとに予め一の識別用のデータであるＩＣタグ群情報２２が割り振られている。移動ロボット１が、識別番号に係る識別情報２１をＩＣタグ群情報２２に関連付けたＩＣタグ群情報データベース２３と、ＩＣタグ群情報２２を動作情報２５に関連付けた動作情報データベース２６を記憶した記憶手段２８を備えていることにより、識別情報２１はＩＣタグ群情報２２に変換され、変換されたＩＣタグ群情報２２に対応する動作情報２５が動作情報データベース２６から抽出される。すなわち、異なる識別情報２１を所有する複数のＩＣタグ４であっても、同一のＩＣタグ群に属するものであれば、同一の動作情報２５が特定される。したがって、移動ロボット１が、長さ数センチメートル程度の小さいＩＣタグを確実に通過しなくても、同一のタグ群に属するいずれかのＩＣタグ４を通過すれば、目的とする動作情報２５が取得できることとなる。これにより、移動ロボット１は、ＩＣタグの読取りを安定して継続することが可能となる。
【００４７】
ここで、移動ロボット１が、同一タグ群に属する複数のＩＣタグ４を、続けて二以上読取ることもあり得るが、その場合、第一実施形態では次のように処理するものとする。すなわち、連続して読取ったＩＣタグ４が、それぞれ異なるＩＣタグ群に属する場合には、先のＩＣタグ４に基づく動作は未実行であっても、その動作情報２５は廃棄され、新たなＩＣタグ４に基づく動作情報２５のみが有効となる。一方、同一のＩＣタグ群に属するＩＣタグ４を連続的に読取った場合は、新たなＩＣタグ４による動作情報２５は廃棄され、先のＩＣタグ４に基づく動作が継続される。これにより、同一タグ群に属するＩＣタグ４の連続読取りによる、同一内容の動作情報２５の重複発効を防止することが可能となる。
【００４８】
具体的に、自律移動ロボット１が対象物情報を利用して直進する様子を、図４を用いて説明する。ＩＣタグ４から取得した識別情報２１に基づいて、例えば、『「左側倣い、１メートル」、「左壁面倣い、９０度」、「直進、５０メートル」』との動作情報２５を取得したとする。すると、移動ロボット１は、レーザレンジファインダ７を用いて周囲にレーザ光６を照射し、左の壁３２ａとの距離及び角度を検出し、壁３２ａから１メートルの距離４５をとり、壁に沿って直進する（ロボットの進行方向を矢印Ｂとする）。その後、移動距離の検出値における累積誤差や路面の状況等により、移動ロボット１の進行方向が左の壁に対して９０度の角度よりずれたとしても（図４における移動ロボット１ａ参照）、所定の時間間隔でレーザ光６を照射し、実際の位置における壁との距離及び角度に関する対象物情報３０を取得することにより、位置の修正を行い、正しい経路Ｒに戻ることができる（移動ロボット１ｂ参照）。
【００４９】
また、移動経路が曲折する場合においても、移動ロボット１自身を基準として「右回転、７０度」のように指示するのではなく、「正壁面倣い、９０度」のように、対象物を基準とした動作情報２５を付与することにより、移動ロボット１自身が、実際に旋回した角度を正確に検知することを必要とせず、方向転換することが可能となる。
【００５０】
例えば、図５に示すように、曲折する壁３２ｂ、３２ｃに沿って移動ロボット１を直進させる、すなわち経路Ｒを移動させる場合、方向転換させる箇所には、『「停止」、「正壁面倣い、９０度」、「直進、距離」』という動作情報２５に対応させた識別情報２１を有するＩＣタグ４を設置する。このＩＣタグ４を読取ることにより、移動ロボット１は、動作情報２５を構成する各コマンドを順次実行し、まず停止し、次にレーザレンジファインダ７が取得した対象物情報３０を利用し、前方の壁３２ｃとの実際の角度を参照して、壁３２ｃから９０度の方向に進行方向を転換し、その後壁３２ｃに沿って直進する。
【００５１】
ここで、移動ロボット１が壁に沿って直進する途中に、店舗等の入口が開口した空間や交差する通路などがあると、動作の基準となる壁がないために、上述のように進行方向にずれが生じても、図４を用いて説明した位置の修正処理をすることができず、店舗等に進入してしまう可能性がある。そこで、直進、後進、停止、回転、対象物との距離及び角度、及びその組合わせ等からなる動作情報２５に対応させた識別情報２１を有する通常のＩＣタグ（以後、「通常タグ４ａ」と称する）とは別に、進入禁止を指示する情報に対応させたＩＣタグ（以後、「禁止タグ４ｂ」と称する）を使用して、進入禁止領域４８への移動ロボット１の進入を防止する。すなわち、禁止タグ４ｂの識別情報２１には進入禁止を指示する動作情報２５を関連付け、この禁止タグ４ｂを進入禁止領域４８との境界に設置する。
【００５２】
例えば、図６に示すように、移動ロボット１が通常タグ４ａを読取り、壁３２ｄに沿って直進する、すなわち経路Ｒを移動するという内容の動作情報２５を取得し、これを実行中に店舗の前にさしかかると、そこにはレーザレンジファインダ７によって検出できる壁がないため、動作の基準を失うこととなる。しかしながら、店舗前に禁止タグ４ｂが予め設置されていれば、仮に進行方向にずれが生じて店舗内に進入する方向に向かっても、ＩＣタグリーダ５によって禁止タグ４ｂの識別情報２１を読取り、この識別情報２１から、それ以上の前進を回避する動作情報２５を取得する。
【００５３】
ここで、移動ロボット１が連続的に禁止タグ４ｂを読取っても、通常タグ４ａの場合とは異なり、新たな禁止タグ４ｂに基づく動作情報２５は廃棄されず、新たな禁止タグ４ｂによる動作情報２５が発効するよう処理される。これにより、進入禁止領域４８である店舗との境界に設置された禁止タグ４ｂによって、それ以上の前進を制限され、境界に沿って禁止タグを順次読取ることにより、移動ロボット１は進入禁止領域４８へ進入することなく、目的の壁が検出可能な箇所まで導かれることとなる。
【００５４】
次に、第一実施形態の移動ロボット１における処理の流れについて、主に図７及び図８のフローチャートに基づいて説明する。
【００５５】
移動ロボット１をスタート地点に配置し、スイッチを入れて稼動を開始させると、まず初期設定された条件に従って動作する（ステップＳ１）。その後、ＩＣタグリーダ５によるＩＣタグ４の検出の有無を判断する（ステップＳ２）。そして、ＩＣタグリーダ５がＩＣタグ４からの電波を受信した場合（ステップＳ２においてＹＥＳ）、移動ロボット１はＩＣタグリーダ５によって、ＩＣタグ４に付与された固有の識別番号に係る識別情報２１を取得し（ステップＳ３）、Ｆ＝１を与える（ステップＳ４）。一方、ＩＣタグリーダ５がＩＣタグ４を検出していない場合（ステップＳ２においてＮＯ）、ステップＳ３からステップＳ６の処理を行わず、ステップＳ７の処理を行う。
【００５６】
ＩＣタグリーダ５によって取得された識別情報２１を、動作情報抽出手段２９は、まず、記憶手段２８に記憶されているＩＣタグ群情報データベース２３を用いて、ＩＣタグ群情報２２に変換する（ステップＳ５）。そして更に、変換されたＩＣタグ群情報２２に対応する動作情報２５を、動作情報データベース２６の中から抽出する（ステップＳ６）。
【００５７】
その後、外部対象物の検出を行っているレーザレンジファインダ７及び超音波センサ８によって、対象物情報３０を取得する（ステップＳ７）。そして、ＩＣタグ４に基づいて動作情報２５を取得している場合は、対象物を基準とするコマンドにおける対象物との距離や角度の数値を、あるいは、ＩＣタグ４を検出していない場合は初期設定における数値を、取得した対象物情報３０と対比する（ステップＳ８）。このとき、取得した対象物情報３０において、実際の対象物との距離や角度が動作情報２５における数値と相違し、その差が予め設定しておいた閾値を超える場合は（ステップＳ８においてＮＯ）、位置や角度の修正が必要と判断され、自律行動制御手段４０によって駆動機構部３が制御され、対象物との距離や角度を修正する処理を行う（ステップＳ９）。その後、ステップＳ８に戻り、再度、対象物情報３０と動作情報２５における数値との対比を行う。一方、取得した対象物情報３０において、実際の対象物との距離等が動作情報２５における数値と一致する、あるいは、その差が予め設定しておいた閾値の範囲内である場合（ステップＳ８においてＹＥＳ）、移動経路上の障害物の有無を判断する（ステップＳ１０）。
【００５８】
ここで、対象物情報認識手段３５が、対象物情報３０に基づいて障害物を検知していない場合（ステップＳ１０においてＹＥＳ）、ＩＣタグ４を検出済みであるか否かが判断される（ステップＳ１２）。Ｆ＝１であれば既にＩＣタグ４を検出済みであるため（ステップＳ１２においてＹＥＳ）、読取ったＩＣタグが禁止タグ４ｂであるか否かの判断に進む（ステップＳ１３）。これに対し、ＩＣタグ４を未だ検出していない場合、すなわち、Ｆ＝１ではない場合（ステップＳ１２においてＮＯ）、ステップＳ２に戻り、ＩＣタグ４の検出を継続する。
【００５９】
一方、対象物情報認識手段３５が、移動経路上に障害物を検知している場合（ステップＳ１０においてＮＯ）、回避行動制御手段３７によって、障害物を回避する動作が指示され、移動ロボット１はかかる回避行動を行う（ステップＳ１１）。その後、ステップＳ８に戻り、対象物情報３０を参照し、必要に応じて位置の修正処理を行うことにより、移動ロボット１はもとの経路に復帰する。
【００６０】
ステップＳ１２の終了後、読取ったＩＣタグが禁止タグ４ｂであるか否かが判断される（ステップＳ１３）。読取ったＩＣタグ４が禁止タグ４ｂではない場合（ステップＳ１３においてＹＥＳ）、すなわち、通常タグ４ａを読取っている場合は、動作制御手段３６による制御により、所定の自律行動を行う（ステップＳ１５）。ここで、動作情報２５が複数の動作に関するコマンドで構成されている場合は、それらの動作を順次実行する。このとき、動作情報２５が移動動作に関するコマンドで構成されているときは、自律行動制御手段４０によって駆動機構３が制御され、前進、後進、回転、停止等の動作を行う（ステップＳ１６）。また、動作情報２５が音声データ２７に対応させたものである場合、音声出力制御手段４２によって、スピーカ１０に対して音声出力が指示され、当該音声データ２７を出力する（ステップＳ１７）。さらに、動作情報２５が頭部回転動作に関するものである場合、頭部動作制御手段１５によって頭部回転用モータ１４ａが制御され、頭部回転動作を行う（ステップＳ１８）。
【００６１】
一方、動作情報２５が、禁止タグ４ｂの読取により取得したものである場合（ステップＳ１３においてＮＯ）、自律行動制御手段４０によって、駆動機構３に対して進入禁止領域４８への進入を制限する動作指示がされ、移動ロボット１は当該進入禁止領域４８への進入を回避する（ステップＳ１４）。
【００６２】
禁止タグ４ｂに基づく禁止行動を終了した後、あるいは、通常タグ４ａから取得した動作情報２５に基づいて上記の所定の動作を終了した後、稼動停止の指示の有無を判断する（ステップＳ１９）。かかる指示がある場合は（ステップＳ１９においてＹＥＳ）、稼動を停止し、ショッピング街での案内活動を終了する（ステップＳ２０）。一方、かかる指示がない場合は（ステップＳ１９においてＮＯ）、ステップＳ２に戻り、一連の自律行動を継続する。
【００６３】
上記のように、第一実施形態の移動ロボット１によれば、外部対象物を基準とした動作を指示するコマンドを含めて動作情報２５を構成することにより、移動ロボット１自身が絶対的な位置座標や絶対方位を検知することを必要とせずに自律移動することが可能となる。また、対象物情報３０を参照して、適宜対象物との距離や角度を修正して移動するため、簡易な移動手段である車輪駆動による場合であっても、車輪回転数による距離センサ３ｄの検出値に生じる誤差の累積を問題とすることなく、目的の経路を自律移動することが可能となる。さらに、長い壁を利用して直進する場合などは、直進の開始位置と終了位置にＩＣタグ４を設置すれば足りるため、動作情報２５の基準となる対象物の選択を工夫して移動経路を設定することにより、ＩＣタグ４の設置数を抑制することも可能となり、また、ＩＣタグ４の設置位置の絶対座標やＩＣタグ４間の相対的な座標を利用して移動する場合に比べ、単純な動作情報２５で自律的行動を制御することが可能となる。
【００６４】
加えて、複数のＩＣタグ４を一のＩＣタグ群として設置することにより、移動ロボット１が、確実かつ容易にＩＣタグ４の読取りを継続でき、目的の動作を安定して行わせることが可能となる。また、移動経路上を人間や車両が通行することにより、万一ＩＣタグ４が剥離する事態等に至っても、同一タグ群に属する他のＩＣタグ４が残存することにより、移動ロボット１に目的の動作を行わせることができる。さらに、当初の設置枚数以上のＩＣタグ４に同一のＩＣタグ群情報２２を付与した上で予備とすることにより、剥離したＩＣタグ４を補填する場合においても、データベースに新たなデータを追加する作業を要することなく対応でき、保守性において優れている。
【００６５】
次に、本発明の第二実施形態の移動ロボット（図示しない）について説明する。第二の実施形態の移動ロボットは、移動経路を形成するＩＣタグとして、動作情報を含んで記憶したＩＣタグを使用するものである。すなわち、このタイプのＩＣタグ（データキャリア型）は、識別番号のみを所有する第一実施形態のＩＣタグに対して、記憶容量が大きく、大容量の音声データ等も記憶することができる。
【００６６】
ＩＣタグから直接動作情報を取得することができるため、動作情報に関するデータベースを記憶手段に備える必要が無い。動作情報の取得の方法以外は、第一実施形態の移動ロボット１と同様に動作が制御されるため、詳細な説明は省略する。
【００６７】
上記のように、第二実施形態の自律移動案内ロボットによれば、動作情報を記憶させたＩＣタグを設置して設定した移動経路を、ＩＣタグリーダによってＩＣタグを読取って取得した動作情報と、レーザレンジファインダ等の対象物検出手段によって取得した対象物情報とを対比することにより、自律的に移動する。また、店舗の案内や商品等の案内を行うための音声データを、予め記憶させたＩＣタグの設置箇所に到達した際に、当該ＩＣタグから音声データを取得し、音声出力する。従って、ＩＣタグから直接に大容量の情報を取得することが可能であり、また、データベースを検索する作業を要しないため、情報処理が速い利点も有する。
【００６８】
以上、本発明について好適な実施形態を挙げて説明したが、本発明はこれらの実施形態に限定されるものではなく、以下に示すように、本発明の要旨を逸脱しない範囲において、種々の改良及び設計の変更が可能である。
【００６９】
例えば、第一実施形態の移動ロボット１の頭部ユニット１２の目に該当する位置に、画像映写手段を取設する態様が例示される。ここで、ＩＣタグ４の識別情報２１に対応させ、予め記憶手段２８に画像データを記憶させることにより、ＩＣタグ４の設置箇所に到達した際に、画像データを壁面等に映写する等の動作を行わせることが可能となり、移動ロボット１に案内、広告機能をより効果的に発揮させることが可能となる。
【００７０】
また、胴体部ユニット１１の表面に衝突検知センサを設置し、衝突を検知したときに移動ロボット１が停止する動作を、動作制御手段３６によって制御することにより、ショッピング街やイベント会場等の人の多く集まる場所において、より安全に移動ロボット１を自律移動させることが可能となる。
【００７１】
また、胴体部ユニット１１の内部に無線通信手段を取設することにより、外部からのデータ入力操作によって、移動ロボット１に動作情報２５を直接送信し、遠隔操作することも可能である。このとき、遠隔操作状態を解除して自律移動状態に切り替えるには、無線通信手段を介して遠隔操作を解除する命令を送信する際に、例えば、「直進、１メートル」との動作情報２５を与えることにより、この動作の実行中にＩＣタグ４を検出して再び自律移動に戻ることが可能となる。仮に直進中にＩＣタグ４を検出しない場合は、この動作を終了した後、動作情報２５を何も取得していない状態となり、停止する。
【００７２】
さらに、ロボットの形態に限らず、他の様々な用途に用いることが可能である。例えば、オフィスにおける書類の無人配送や工場生産ラインにおける部品等の無人搬送用のカートとして自律移動装置を使用し、壁に沿って移動した後に、所定場所で到着を知らせる内容を音声を出力する態様、あるいは、自律移動装置を車椅子形状として病院内で使用し、車椅子の使用者に対して通過箇所に関する案内を行い、検査室の入口等において職員に介助を呼びかける内容の音声を出力させる態様等が挙げられる。言葉を発声することで親しみある印象を与えるため、人間社会で受け容れられやすい態様で活動することが可能である。
【図面の簡単な説明】
【００７３】
【図１】第一実施形態の移動ロボットの概略構成を示す説明図である。
【図２】移動ロボットの内部構成を模式的に示す説明図である。
【図３】移動ロボットの機能的構成を示す説明図である。
【図４】移動ロボットの自律移動の一例を模式的に示す説明図である。
【図５】移動ロボットの自律移動の一例を模式的に示す説明図である。
【図６】移動ロボットの自律移動の一例を模式的に示す説明図である。
【図７】移動ロボットにおける処理の流れを示すフローチャートである。
【図８】移動ロボットにおける処理の流れを示すフローチャートである。
【符号の説明】
【００７４】
１  移動ロボット（自律移動案内ロボット、自律移動装置）
２  ロボット本体（装置本体）
３  駆動機構部（移動手段）
４  ＩＣタグ
５  ＩＣタグリーダ（識別情報取得手段、動作情報取得手段）
７  レーザレンジファインダ（対象物情報取得手段）
８  超音波センサ（対象物情報取得手段）
１０  スピーカ（音声出力手段）
２１  識別情報
２２  ＩＣタグ群情報
２５  動作情報
２７  音声データ
２８  記憶手段
２９  動作情報抽出手段
３０  対象物情報
４２  音声出力制御手段
【図１】
2006178578.tif 000003
【図２】
2006178578.tif 000004
【図３】
2006178578.tif 000005
【図４】
2006178578.tif 000006
【図５】
2006178578.tif 000007
【図６】
2006178578.tif 000008
【図７】
2006178578.tif 000009
【図８】
2006178578.tif 000010